(57)【要約】【課題】清掃面を傷つけることなく塵埃を吸込むことができる吸込口体及び電気掃除機を提供する。【解決手段】内部に吸込空間１３５を有し、清掃面と対向する側に吸込口を備えるヘッド部１２７と、ヘッド部１２７に接続されていると共に吸込空間１３５と通風口１４３を介して連通する通風空間１３７を内部に有する通風路１２９とを有する吸込口体１０５であって、吸込空間１３５は、吸込口を介してヘッド部１２７の外部と連通すると共に、平行な方向と直交する断面において、清掃面と接する円形状又は類円形状における吸込口よりも清掃面側を欠く欠円形状又は欠類円形状をし、前記吸込空間は、前記通風口から遠い位置から前記通風口に近づくに従って、前記吸込空間における前記断面の面積が大きくなる部分を有している。【選択図】図１５
2015198894.tif 000002
【特許請求の範囲】
【請求項１】
内部に吸込空間を有するとともに清掃面と対向する側に吸込口を備えるヘッド部と、
前記ヘッド部に接続されていると共に通風口を介して前記吸込空間と連通する通風空間を内部に有する通風路と、
を有する電気掃除機の吸込口体であって、
前記吸込空間は、前記清掃面と平行な方向に延伸し、
前記吸込口は、前記吸込空間の中心軸と前記清掃面との間に位置し、
前記吸込空間は、前記吸込口を介して前記ヘッド部の外部と連通すると共に、前記平行な方向と直交する断面において、前記清掃面と接する円形状又は類円形状における前記吸込口よりも前記清掃面側を欠く欠円形状又は欠類円形状をし、
前記吸込空間は、前記通風口から遠い位置から前記通風口に近づくに従って、前記吸込空間における前記断面の面積が大きくなる部分を有している
吸込口体。
【請求項２】
前記通風口は前記吸込空間における前記平行な方向の中央にあり、
前記大きくなる部分は、前記平行な方向における前記通風路の両側の少なくとも一方に存在している
請求項１に記載の吸込口体。
【請求項３】
前記大きくなる部分は、前記平行な方向における前記通風路の両側に存在している
請求項２に記載の吸込口体。
【請求項４】
前記通風口は、前記平行な方向に長い偏平状をしている
請求項１〜３の何れか１項に記載の吸込口体。
【請求項５】
前記吸込空間は、前記ヘッド部における前記平行な方向の端壁に形成され且つ前記平行な方向に沿って延伸する欠損部により外部と連通する
請求項１〜４の何れか１項に記載の吸込口体。
【請求項６】
吸込口体と掃除機本体とを備える電気掃除機において、
前記吸込口体は、請求項１〜５の何れか１項に記載の吸込口体である
電気掃除機。
【発明の詳細な説明】
【技術分野】
【０００１】
本発明は、吸込口体及び当該吸込口体を備える電気掃除機に関する。
【背景技術】
【０００２】
従来、床やカーペット上の塵埃の吸込み性能を向上させるために様々な検討が行われている。例えば、特許文献１のような構成の電気掃除機の吸込口体が開示されている。
特許文献１で開示される吸込口体の構成によれば、吸込口体の清掃面側に設けられた吸込口の内側に回転ブラシが設けられる。清掃時はこの回転ブラシが回転することで清掃面上の塵埃を掻きあげ、塵埃が浮遊しているところを吸込口体で吸込む。このように、床溝内の塵埃やカーペットの奥に存在する塵埃を回転ブラシを利用して吸込むことで吸込口体の性能を向上させている。
【０００３】
このような吸込口体の他にも、回転ブラシにブラシの他にゴム製のブレードを設ける吸込口体や、回転ブラシを複数設けた吸込口体が開示されている。
【先行技術文献】
【特許文献】
【０００４】
【特許文献１】特開平５−２９３０６４号公報
【発明の概要】
【発明が解決しようとする課題】
【０００５】
しかしながら、回転ブラシを回転させることで塵埃を掻き上げるためには回転ブラシを床やカーペットと接触させることが必要である。回転ブラシが清掃面を直接掻くことで塵埃を浮かせるためである。このような方法では、直接回転ブラシを清掃面に接触させるため床やカーペットを傷つける可能性が高く、カーペットに使用する材質によってはカーペットの毛足が損傷するなどの可能性が考えられる。
本発明は、清掃面を傷つけることなく塵埃を吸込むことができる吸込口体及び電気掃除機を提供する。
【課題を解決するための手段】
【０００６】
上記課題を解決するため、本発明の一実施形態に係る実施形態の吸込口体は、内部に吸込空間を有するとともに清掃面と対向する側に吸込口を備えるヘッド部と、前記ヘッド部に接続されていると共に通風口を介して前記吸込空間と連通する通風空間を内部に有する通風路と、を有する電気掃除機の吸込口体であって、前記吸込空間は、前記清掃面と平行な方向に延伸し、前記吸込口は、前記吸込空間の中心軸と前記清掃面との間に位置し、前記吸込空間は、前記吸込口を介して前記ヘッド部の外部と連通すると共に、前記平行な方向と直交する断面において、前記清掃面と接する円形状又は類円形状における前記吸込口よりも前記清掃面側を欠く欠円形状又は欠類円形状をし、前記吸込空間は、前記通風口から遠い位置から前記通風口に近づくに従って、前記吸込空間における前記断面の面積が大きくなる部分を有している。
【０００７】
ここでいう、類円形状は、真円形状ではないが、円形状に相当する種類に属するような形状のものをいい、例えば、長円形状、楕円形状及び多角形状並びに長円形状、楕円円形状及び多角形状の一部が凹入したり、凸出したりした形状等がある。
また、本発明の一実施形態に係る電気掃除機は、吸込口体と掃除機本体とを備え、前記吸込口体は、上記に記載の吸込口体である。
【発明の効果】
【０００８】
本発明の一実施形態に係る吸込口体や電気掃除機では、吸込空間の横断面形状が欠円形状又は欠類円形状をしているため、吸込空間内で旋回気流が生成され、この旋回気流によって床やカーペット上の塵埃を巻き上げることで吸込み効率を向上することが可能である。
【図面の簡単な説明】
【０００９】
【図１】動作原理を説明するための吸込口体を模式的にあらわした上面図と断面図。
【図２】動作原理を説明するための吸込口体を模式的にあらわした側面図。
【図３】第１の実施形態の電気掃除機の概略図。
【図４】第１の実施形態の吸込口体の側面図。
【図５】第１の実施形態の吸込口体の平面図。
【図６】第１の実施形態の吸込口体の底面図。
【図７】第１の実施形態の吸込口体の正面図。
【図８】第１の実施形態の吸込口体の背面図。
【図９】図５のＸ１−Ｘ１断面を矢印方向から見た円筒体周辺の拡大図。
【図１０】第２の実施形態の吸込口体の斜視図。
【図１１】第２の実施形態の吸込口体の平面図。
【図１２】第２の実施形態の吸込口体の底面図。
【図１３】図１１のＸ１１−Ｘ１１線断面を矢印方向から見た図。
【図１４】図１３のＸ１２−Ｘ１２線断面を矢印方向から見た図。
【図１５】図１３のＸ１３−Ｘ１３線断面を矢印方向から見た図。
【図１６】連通部よりも下流側の部品の分解図。
【図１７】第２の実施形態の吸込ヘッドの拡大横断面図。
【図１８】吸込ヘッドの変形例を示す拡大横断面図。
【発明を実施するための形態】
【００１０】
本発明の一態様に係る吸込口体は、内部に吸込空間を有するとともに清掃面と対向する側に吸込口を備えるヘッド部と、前記ヘッド部に接続されていると共に通風口を介して前記吸込空間と連通する通風空間を内部に有する通風路と、を有する電気掃除機の吸込口体であって、前記吸込空間は、前記清掃面と平行な方向に延伸し、前記吸込口は、前記吸込空間の中心軸と前記清掃面との間に位置し、前記吸込空間は、前記吸込口を介して前記ヘッド部の外部と連通すると共に、前記平行な方向と直交する断面において、前記清掃面と接する円形状又は類円形状における前記吸込口よりも前記清掃面側を欠く欠円形状又は欠類円形状をし、前記吸込空間は、前記通風口から遠い位置から前記通風口に近づくに従って、前記吸込空間における前記断面の面積が大きくなる部分を有している。これにより、吸込空間内で通風口に向かう旋回気流が生成される。
【００１１】
前記通風口は前記吸込空間における前記平行な方向の中央にあり、前記大きくなる部分は、前記平行な方向における前記通風路の両側の少なくとも一方に存在している。これにより、少なくとも通風路の片側で、効率よく旋回気流を通風路に向かわせることができる。前記大きくなる部分は、前記平行な方向における前記通風路の両側に存在している。これにより、通風路に対して吸込空間の左右両側で旋回気流が発生することとなり、広い範囲で旋回気流を利用できる。
前記通風口は、前記平行な方向に長い偏平状をしている。これにより、通風路を小型化できる。また、平行な方向に長い吸込空間を有効に利用できる。前記吸込空間は、前記ヘッド部における前記平行な方向の端壁に形成され且つ前記平行な方向に沿って延伸する欠損部により外部と連通する。これにより、吸込空間の端部分で発生した旋回気流を螺旋軌道で通風口へと移動させることができる。
【００１２】
＜動作原理＞
本発明に係る実施形態の動作原理について、図１及び図２を用いて説明する。
図１及び図２は、本発明の動作原理を説明するために模式的にあらわした電気掃除機の吸込口体２０である。図１は吸込口体２０の上面図と断面図であり、図２は吸込口体２０の側面図である。
【００１３】
まず、電気掃除機を操作する操作者を基準にして、吸込口体が存在している側を「前側」とし、電気掃除機本体が存在している側を「後側」とそれぞれする。
図１（ａ）、図１（ｂ）共に、図面の左側が前方、右側が後方にそれぞれ対応する。また、図１（ｂ）に示す矢印は円筒体２２内を旋回する旋回気流の運動方向を表し、黒矢印は旋回気流の下半分側を表し、斜線入り矢印は旋回気流の上半分側を表す。
【００１４】
吸込口体２０は、円筒状や円柱状の空間であって清掃面Ｓ側に開口部２２ａを有する円筒体２２と、円筒体２２の前部に円筒体２２に接するように設けられるフロントガード２４と、円筒体２２の後部に円筒体２２に接するように設けられるリアガード２６とを形成し、リアガード２６の上方中央に設けられ、円筒体２２と連通する通風路２８を有している。
ここで、円筒体は本発明のヘッド部の一例に相当し、その内部の空間が、本発明の吸込空間の一例に相当し、開口部が本発明の吸込口の一例に相当する。また、通風路の内部の空間が本発明の通風空間に相当する。
【００１５】
フロントガード２４とリアガード２６の下面は清掃面Ｓに対して一定の距離ｔをとって離間している。距離ｔは、円筒体２２が完全な円筒体と仮定したとき、円筒体の内周面が清掃面に接するように配置されたときのフロントガード２４と清掃面Ｓとの距離又はリアガード２６と清掃面Ｓとの距離である。
言い換えると、距離ｔは、円筒体２２の中心軸と清掃面Ｓとの距離が円筒体２２の半径に相当するように配置されたときのフロントガード２４と清掃面Ｓ又はリアガード２６と清掃面Ｓとの距離である。
【００１６】
このように距離ｔを定めると、開口部２２ａから吸引される（吸込まれる）塵埃は円筒体２２の接線方向から円筒体２２の内部に吸込まれる。このとき、円筒体２２内の気流は円筒体２２の内面に沿った旋回気流を生成する。
開口部２２ａから吸込まれた塵埃は、吸込まれる位置によって挙動が異なる。開口部２２ａ（円筒体２２）の中央部から吸込まれた塵埃は、通風路２８が近いため円筒体２２内を旋回せずに通風路２８に直接吸込まれる。
【００１７】
一方、円筒体２２の端部から吸込まれた塵埃は、旋回気流に乗って円筒体２２の内周面に沿って、図１（ｂ）に示すように回転（旋回）しながら円筒体２２の中央に近づき、通風路２８に吸込まれる。
言い換えると、図１（ａ）に示すように円筒体２２の端部から吸込まれた塵埃は円筒体２２の内周面に沿って螺旋状の軌跡を描きながら通風路２８に向かって移動する。
【００１８】
次に、清掃面Ｓとフロントガード２４の下面又は清掃面Ｓとリアガード２６の下面との距離ｔと円筒体２２の開口部２２ａの開口サイズｄ（前後方向の開口寸法である。）について図２を用いて説明する。なお、図２では、円筒体２２、フロントガード２４及びリアガード２６を一体で表し、一体で表したものの開口部も円筒体の開口部としている。
【００１９】
図２に示すように、開口部２２ａの開口サイズｄは半径ｒを斜辺とする直角三角形ＯＡＢの隣辺の一つを２倍したものと等しい。したがって、以下の数式で求めることができる。
ｄ  ＝  ２  ×  ｛ｒ２−（ｒ−ｔ）２｝１／２
ここで、ｄは円筒体２２の開口部２２ａの開口サイズ、ｒは円筒体２２の内周面の半径、ｔは開口部２２ａから清掃面Ｓまでの距離を示す。
【００２０】
数式より半径ｒを一定のまま距離ｔを小さくすると開口サイズｄは小さくなり、距離ｔを大きくすると開口サイズｄは大きくなる。開口サイズｄは、０＜ｄ＜２ｒの範囲から選択することが可能であり、吸込口体２０に求められる性能などに基づいて適切なサイズが選択される。
【００２１】
＜第１の実施形態＞
次に第１の実施形態について図３から図９を用いて説明する。
１．電気掃除機の概略
図３は、第１の実施形態に係る電気掃除機１を示す概略図である。
電気掃除機１は、図３に示すように、電気掃除機本体３と吸込口体６０とを備える。電気掃除機１は、電気掃除機本体３と吸込口体６０とを着脱自在に接続するための接続管７を備えても良い。
【００２２】
ここでは、接続管７は操作部９付きホース１１と管体１３とを接続自在に備える。なお、電気掃除機１の種々の使用目的に対応できるように、管体１３と吸込口体６０とを接続せずに、ホース１１と吸込口体６０とを直接接続することもできる。
【００２３】
電気掃除機１は、フローリング、カーペット、絨毯等の清掃面に存在する塵埃を周辺空気とともに円筒体６２の開口部６２ａから吸込んで、電気掃除機本体３の内部に集塵する。ここで、塵埃等が吸込口体６０の吸込口から電気掃除機本体３の内部まで吸引される流路を吸引路とする。吸引路において、吸込口体６０が位置する「側」を「上流側」とし、電気掃除機本体３が位置する「側」を「下流側」とする。
【００２４】
電気掃除機本体３は、塵埃等を吸引するための電動送風機と、電動送風機よりも上流側に配された集塵スペースとを内蔵する。集塵方式は、サイクロン式でもよいし、紙パック式でもよいし、両者を併用してもよい。なお、電気掃除機本体３は移動補助用の車輪１５を備えている。
【００２５】
ホース１１は可撓性を有する湾曲自在な筒体で構成される。ホース１１の下流端部は電気掃除機本体３に着脱自在に接続され、上流端部には操作部９が装着されている。ホース１１の内部は、吸引路の一部を構成する空間であり、電気掃除機本体３の吸引開始や吸引停止等のスイッチを操作部９で操作するための電気ケーブルが配される収容空間でもある。
【００２６】
操作部９は、上記スイッチの他、操作者が吸込口体６０を清掃面に沿って移動（操作）させるためのハンドル９ａを備える。操作部９の上流側の端部には管体１３が着脱自在に接続される。
【００２７】
管体１３は伸縮自在に構成されている。具体的には、管体１３は内管と外管とを備え、内管が外管に対して挿抜自在に支持されている。管体１３の上流側の端部が吸込口体６０に着脱自在に接続される。なお、後述する吸込口体６０は、回転ブラシを備えないため、回転ブラシ駆動用配線が不要となり、管体１３の構造は簡単となる。
【００２８】
２．吸込口体の概略
吸込口体６０の構成について説明する。
図４は吸込口体６０の側面図である。図５は吸込口体６０の平面図である。図６は吸込口体６０の底面図である。図７は吸込口体６０の正面図である。図８は吸込口体６０の背面図である。
ここで、吸込口体６０を前にする操作者から見て、前後方向（図１０参照）と直交する方向を、単に「左右方向」という（図１０参照）。また、清掃面１２０に対して直交する方向を、単に「上下方向」といい、清掃面１２０から離れる向きを「上向き」、清掃面１２０に近づく向きを「下向き」とそれぞれいう。
【００２９】
吸込口体６０は、少なくとも、円筒体６２と通風路６８とを備える。以下、具体的に説明する。
第１の実施形態に係る吸込口体６０は、円筒体６２、フロントガード６４、リアガード６６、通風路６８、ジョイント７０、第１のパイプ７２、第２のパイプ７４、ベース部７６、ホイール７８ａ〜７８ｆから構成され、管体１３、ホース１１を介して電気掃除機本体３に接続される。なお、第２パイプ７４は管体１３に接続される。
円筒体６２に形成された開口部６２ａから吸込まれた塵埃は、管体１３、ホース１１を介して電動送風機を内蔵する電気掃除機本体３に設けられる集塵スペースに吸引される。
【００３０】
ここで、少なくとも円筒体６２と通風路６８とが組み合わされたものが吸込ヘッド６１である。本実施形態では、吸込ヘッド６１は、円筒体６２及び通風路６８の他、ベース部７６も有している。ヘッド部６５は少なくとも円筒体６２を有する。つまり、吸込ヘッド６１は、ヘッド部６５及び通風路６８を備える他、ベース部７６を有している。
本実施形態では、ヘッド部６５は、円筒体６２の他、フロントガード６４及びリアガード６６を有している。開口部６２ａは、本発明の吸込口の一例に相当する。円筒体６２の内部の空間が吸込空間６３である。
円筒体６２は、内部に円柱状の空間を有し、清掃面側には開口部６２ａが形成されている。動作原理で説明したように、開口部６２ａから吸込まれた塵埃は円筒体６２内部の内周面に沿うような旋回気流にのって吸引される。円筒体６２は長手方向両端部に円筒体６２の回転中心軸にむかって絞られたテーパー形状のテーパー部６２ｂ，６２ｃをそれぞれ有する。
【００３１】
フロントガード６４は円筒体６２の前部に設けられる。フロントガード６４を設けることで使用時に吸込口体６０が壁などにぶつかった時でも、円筒体６２を衝撃から守ることが可能となる。
【００３２】
フロントガード６４は、衝撃を吸収できるような材質や構成であるとなお良い。例えば、エラストマーや繊維生地などの材料を用いても良い。また、フロントガード６４を円筒体６２と一体に形成しても良いし、複数の部品で構成しても良い。
【００３３】
リアガード６６は円筒体６２の後部に設けられる。フロントガード６４と同様、リアガード６６を設けることで吸込口体６０を後方に動かしたときに円筒体６２が直接障害物にぶつかることを防ぐ。
【００３４】
リアガード６６は、フロントガード６４と同様に衝撃を吸収できるような材質、構成を使用することができる。例えば、衝撃を吸収できるような材質や構成であっても良い。具体的には、エラストマーや繊維生地などの材料を用いることが可能である。また、リアガード６６を円筒体６２と一体に形成しても良いし、複数の部品で構成しても良い。
【００３５】
通風路６８は円筒体６２の後部中央部に連通部６８ａを介して接続される。円筒体６２から吸込まれた塵埃は第１のパイプ７２に向かう吸引気流にのって通風路６８内を移動する。なお、連通部６８ａは、本発明の通風口の一例に相当する。
【００３６】
ジョイント７０は通風路６８と第１のパイプ７２とを接続するものである。第１のパイプ７２は円筒体６２の長手方向と平行な軸を中心に上下方向に回動可能に接続される。
【００３７】
第１のパイプ７２は略円筒状の形状に形成されている。第１のパイプ７２上には、パイプカバー７２ａが設けられている。パイプカバー７２ａ内には端子や導線が格納できるスペースが設けられており、例えば吸込口体６０にＬＥＤなどの発光素子を配置する場合など吸込口体６０に電気配線が必要なときにはこのパイプカバー７２ａ内のスペースを利用することが可能である。なお、電気配線が不要なときはパイプカバー７２ａが無くても構わない。
【００３８】
第２のパイプ７４は、一方端部が第１のパイプ７２に接続され、他方端部には管体１３が接続される。第２のパイプ７４は第１のパイプ７２と同様略円筒状の形状に形成されていて、第１のパイプ７２の径よりもやや小さな径となっている。
【００３９】
このような構成にすることで、第１のパイプ７２と第２のパイプ７４との接続部には段差７４ａができ、管体１３は、この段差７４ａによって挿入時に一定の位置で固定される。なお、第１のパイプ７２と第２のパイプ７４は別々に形成されても、一体に形成されていてもよい。一体に形成されたものが第２の実施形態の継手体１２５である。
【００４０】
ベース部７６はジョイント７０の下部に設けられる。この構成によって、円筒体６２よりやや上方後方に形成されるジョイント７０を下から支えることで、開口部６２ａが清掃面から浮いてしまうことを防止し、清掃面と開口部６２ａとの一定の距離を維持できるようにすることができる。
【００４１】
ホイール７８ａ〜７８ｆは、回転可能に、フロントガード６４、リアガード６６、ベース部７６等の所定の位置に取り付けられる。ホイール７８ａ，７８ｂはフロントガード６４の下部に、ホイール７８ｃ，７８ｄはリアガード６６の下部に、ホイール７８ｅ，７８ｆはベース部７６の下部であって後部中央部に、それぞれ取り付けられる。
なお、ホイール７８ｃ，７８ｄは厚みの薄いリアガード６６に取り付けられるため、リアガード６６に貫通孔を設けて取り付けられる。
【００４２】
（１）ヘッド部
図９は、図５のＸ１−Ｘ１断面を矢印方向から見た円筒体６２の周辺の拡大図である。
ヘッド部６５を構成する円筒体６２は、図９に示すように、円筒体６２の中心Ｐ１を通る中心軸Ｙ１と直交する断面（横断面である。）において、円筒体６２の内周面形状が円形状をした完全な円筒体の一部（下部）を欠いた形状をしている。つまり、内周面形状が欠円形状をしている。なお、円形状の欠いた部分で、開口部６２ａが構成される。開口部６２ａは、吸込空間６３の中心軸と清掃面との間にある。
円筒体６２の内部の吸込空間６３の横断面形状は、円筒体６２の中心軸Ｙ１が延伸する方向（中心軸方向という。）の全長に亘って略同じである。つまり、円筒体６２の横断面形状は、中心軸方向を一端から他端に移動しても、変化しない。なお、円筒体６２の中心軸方向の端は、端壁８０により塞がれている。
【００４３】
吸込空間６３の横断面での面積は、円筒体６２の中心軸方向に亘って一定ではない。つまり、吸込空間６３の横断面の面積は、中心軸方向を一端から他端に移動すると、場所によって異なる。
具体的には、吸込空間６３の横断面での面積は、空間の中心軸方向の中間部では一定であり、中心軸方向の端部では端に近づくに従って徐々に小さくなる。なお、開口部６２ａの位置は、円筒体６２の横断面において同じである。
このため、欠円形状を横断面形状とする吸込空間６３の中心軸は、端に近づくに従って下方へと傾斜する。よって、吸込空間６３を内部に有する円筒体６２の左右方向の端部は、図５及び図６に示すように、左右両側において上部側が徐々に細くなるテーパー部６２ｂ，６２ｃとなっている。
なお、吸込空間６３における中心軸Ｙ１の端部は、円筒体６２のテーパー部６２ｂ，６２ｃの内部に位置する空間である。
【００４４】
（２）通風路
通風路６８は、図９に示すように、筒状をしている。通風路６８は、上方から見たとき（つまり、図５の状態である。）、円筒体６２から離れるに従って細くなるような形状をしている。また、通風路６８は、側方から見たとき（つまり、図４の状態である。）、円筒体６２から離れるに従って太くなるような形状をしている。
【００４５】
通風路６８は、内部に通風路６８の外観形状に対応した相似形状の通風空間８２を有している。通風路６８の入り口側の通風空間８２の横断面の面積は、出口側の通風空間８２の横断面の面積と略等しい。
【００４６】
（３）円筒体と通風路との接続
円筒体６２の内部と通風路６８の内部とを連通される連通部６８ａは、図６及び図９に示すように、円筒体６２の中心軸方向に沿って長い形状をしている。つまり、連通部６８ａは、上下方向に薄い偏平な形状をしている。
連通部６８ａは、図９に示すように、円筒体６２の横断面において、円筒体６２の中心軸Ｙ１を通り、清掃面と直交する仮想線分Ｙ２よりも後側に存在する。連通部６８ａは、円筒体６２の中心軸Ｙ１を通り、清掃面と平行な仮想線分Ｙ３よりも上（清掃面と離れる方向である。）側に存在する。
【００４７】
３．作用
第１の実施形態の吸込口体６０は、開口部６２ａから空気を円筒体６２の接線方向から吸込むので、円筒体６２の内部で旋回気流が発生し、清掃面上の塵埃は旋回気流にしたがって円筒体６２の内部を螺旋状に軌跡を描きながら通風路６８へと移動する。
また、円筒体６２の両端部をテーパー部６２ｂ，６２ｃとすることによって吸込口体６０の開口部６２ａから吸込まれた塵埃がテーパー部６２ｂ，６２ｃの傾斜があることで塵埃が連通部６８ａ側に移動しやすくなる。
【００４８】
＜第２の実施形態＞
第２の実施形態に係る吸込口体１０５について、図１０から図１７を用いて説明する。なお、ここでは、吸込口体１０５の電気掃除機本体３への接続構造・接続方法は、第１の実施形態の吸込口体６０と同じであり、接続構造等の説明は省略する。
【００４９】
１．概略
図１０は吸込口体１０５の斜視図であり、図１１は平面図であり、図１２は底面図である。図１３は図１１のＸ１１−Ｘ１１線断面を矢印方向から見た図である。図１４は図１３のＸ１２−Ｘ１２線断面を矢印方向から見た図である。図１５は図１３のＸ１３−Ｘ１３線断面を矢印方向から見た図である。図１６は、連通部よりも下流側の部品の分解図である。図１７は、吸込ヘッド１２１の拡大横断面図である。
【００５０】
吸込口体１０５は少なくとも吸込ヘッド１２１を有する。吸込ヘッド１２１には吸込口１２２が設けられている。吸込口１２２は、第１の実施形態の開口部６２ａに相当する。
【００５１】
吸込ヘッド１２１の下流側の端部分はジョイント１２３を介して継手体１２５に連結される。継手体１２５は、第１の実施形態の第１のパイプ７２と第２のパイプ７４とが接続されたものに相当する。
第２の実施形態に係る吸込口体１０５は、吸込ヘッド１２１と継手体１２５とがジョイント１２３により連結されて一体となっている。
【００５２】
吸込口体１０５は、図１３に示すように、内部に吸込路１２６を有する。この吸込路１２６により、吸込ヘッド１２１の吸込口１２２から吸込まれた塵埃等が継手体１２５から図外の管体１３へと送られる。なお、吸込ヘッド１２１の吸込口１２２が吸込路１２６の入口となり、継手体１２５の下流口１２４が吸込路１２６の出口となる。
【００５３】
２．各部構成
（１）吸込ヘッド
吸込ヘッド１２１はヘッド部１２７と通風部１２９とを有する。ヘッド部１２７は吸込ヘッド１２１において上流側に位置し、通風部１２９は吸込ヘッド１２１の下流側に位置する。吸込口１２２は、ヘッド部１２７の下面に存在し、清掃面１２０に対向する。本実施形態に係る吸込ヘッド１２１は、ヘッド部１２７及び通風部１２９の他に、ベース部１３１を有する。また、通風部１２９は、本発明の通風路の一例に相当する。
【００５４】
ヘッド部１２７は内部に吸込空間１３５を有する。通風部１２９は内部に通風空間１３７を有する。吸込空間１３５と通風空間１３７とは連通し、吸込路１２６の一部を構成する。
【００５５】
（１−１）吸込路について
吸込ヘッド１２１内の吸込路１２６は、上述のように、吸込空間１３５と通風空間１３７とから構成される。
吸込空間１３５は、図１２及び図１３に示すように、清掃面１２０に沿って当該清掃面１２０と平行な方向に延伸する柱形状をしている。ここでの平行な方向は、例えば、図１２に示すような左右方向である。なお、吸込空間１３５は、図１３に示すように、吸込口１２２を介してヘッド部１２７の外部と連通する。
【００５６】
吸込空間１３５は、当該空間内であって左右方向に延伸する軸を旋回軸とする旋回気流が発生するような空間形状をしている。換言すると、ヘッド部１２７は、旋回気流を発生させるための吸込凹み（１３５）を有する。なお、吸込凹み１３５は、吸込口１２２から清掃面１２０と反対側へと凹入する。
【００５７】
吸込空間１３５の具体的な形状は、図１３に示すように、横断面において、全体として類円形状をし、吸込口１２２を基準としてその下方（清掃面１２０側である。）を欠く欠類円形状をしている。
【００５８】
類円形状は円形状に類似した形状をいう。第２の実施形態における類円形状は、旋回気流が発生可能な上下方向に少し長い長円形状である。欠類円形状は類円形状の一部を欠いた形状をいう。
【００５９】
ヘッド部１２７は、吸込空間を構成する欠類円形状が一部を欠いていない類円形状の輪郭線が、清掃面１２０あるいは清掃面１２０より上方近傍であって清掃面１２０と平行な仮想面と接するように、吸込空間１３５を有する。
【００６０】
吸込口１２２は、図１３に示すように、ヘッド部１２７の横断面における吸込空間１３５の中心Ｐ１１（Ｙ１１）と清掃面１２０との間に存在する。吸込口１２２の開口縁は、清掃面１２０と略平行な面内に存在する。なお、横断面における吸込空間１３５の中心Ｐ１１を通り且つ左右方向に延伸する仮想線分を吸込空間１３５の中心軸Ｙ１１とする（図１３参照）。
【００６１】
旋回気流の旋回軸は、ヘッド部１２７の横断面における吸込空間１３５の中心Ｐ１１を通る中心軸Ｙ１１と略一致する。旋回軸の近い領域の旋回気流は、吸込空間１３５の内部を旋回する。旋回軸から離れた領域（換言すると、吸込凹み（１３５）の凹入面に近い部分である。）の旋回気流は、吸込口１２２から外部にでて、清掃面１２０の近くを通り、吸込口１２２から吸込空間１３５へと戻ってくる。
吸込空間１３５の横断面形状は左右方向の位置に関係なく略同じ形状をしているが、吸込空間１３５の横断面の面積は位置によって異なる。具体的には、第１の実施形態と同様に、吸込空間１３５の左右方向（中心軸方向）の両端部分１３５ｂでは、図１４及び図１５に示すように、各端から左右方向の中央側に移るに従って横断面の面積（空間の直径）が大きくなっている。
【００６２】
換言すると、吸込空間１３５の端部分１３５ｂでは、端に向かって先細りする形状をしている。つまり、吸込空間１３５の全体形状は、中央部分１３５ａを含む中間部分１３５ｃでは横断面形状が類円形状をする柱状をし、両端部分１３５ｂでは横断面形状が類円形状をする錐台状に近い形状をしている。
吸込口１２２は、清掃面１２０と対向し、図１２に示すように、左右方向に長い形状をしている。第２の実施形態では、吸込口１２２は、吸込空間１３５の投影形状と同様に、底側から見たときに、左右方向の中間部分１２２ａが長い矩形状をし、両端部分１２２ｂが先細りする台形状をしている。
【００６３】
吸込口１２２は、図１２、図１３及び図１５に示すように、清掃面１２０からの間隔が一定となるように設けられている。このため、横断面の形状が欠類円形状である吸込空間１３５の中心軸は、図１５に示すように、吸込空間１３５の端部分１３５ｂで下方へと傾斜する。これにより、端部分１３５ｂでも旋回気流が発生する。
また、吸込空間１３５の両端部分１３５ｂは先細りする円錐台状をしているので、端部分１３５ｂで発生した旋回気流は、旋回半径を大きくしながら、螺旋軌道で通風空間１３７へと向かう。
【００６４】
吸込空間１３５は、左右方向の端部分１３５ｂで欠損部１３９によりヘッド部１２７の外部と連通する。欠損部１３９は、外部から気流が左右方向に沿って流入するように構成されている。この流入する気流により、図１０の破線Ｙ１６で示すように、周方向に旋回する旋回気流が、左右方向の両側から中央の通風部１２９に向かうようになる。
【００６５】
吸込空間１３５は、図１３に示すように、横断面において、旋回軸（中心軸Ｙ１１）を通り且つ清掃面１２０と直交する仮想線分Ｙ１２よりも後側に存在する通風口１４３を介して通風空間１３７と連通する。
【００６６】
これにより、吸込口１２２から吸込まれた空気が、所定の軌道で通風口１４３に向かって進行する。ここでの所定の軌道は、吸込口１２２から通風口１４３までの距離が短い方の吸込凹み１３５の内面に沿った軌道である。
【００６７】
通風口１４３は、横断面において、図１７に示すように、吸込空間１３５の中心Ｐ１１を通り且つ清掃面１２０と平行な前後方向に延伸する仮想線分Ｙ１４に対して上下に跨るように形成されている。通風口１４３は、横断面において、図１７に示すように、通風口１４３の上下方向の中心Ｐ１２が仮想線分Ｙ１４よりも下方（清掃面側）にある。
【００６８】
通風空間１３７は、図１３及び図１４に示すように、吸込空間１３５に対して交差する方向に延伸している。第２の実施形態では、交差する方向は、図１４に示すように、平面視において吸込空間１３５の中心軸Ｙ１１に対して直交する方向、つまり前後方向である。なお、吸込空間１３５から通風空間１３７が延伸する向きは後向きである。また、図１４で示すＹ１３は通風空間１３７の中心軸である。
【００６９】
通風空間１３７は、通風空間１３７の中心軸Ｙ１３を通り且つ清掃面１２０と垂直な断面（図１３や図１７に示す状態であり、「通風空間１３７の垂直縦断面」ともいう。）において、図１７に示すように、通風口１４３の上下方向の中心Ｐ１２と吸込口１２２の前後方向の中心Ｐ１３とを結ぶ仮想線分Ｙ１５に沿って、吸込空間１３５から延伸する上流領域１３７ａを有する。通風空間１３７は、垂直縦断面において、図１３に示すように、上流領域１３７ａに続いて、清掃面１２０と平行な方向へと延伸する領域を有する。
【００７０】
つまり、通風空間１３７は、垂直縦断面において、図１７に示すように吸込口１２２の中心Ｐ１３と通風口１４３の中心Ｐ１２とを結んだ仮想線分Ｙ１５に沿って延伸した（この領域が上流領域１３７ａである。）後、図１３に示すように清掃面１２０と平行になるように湾曲（この領域が中流領域１３７ｂである。）し、その後、清掃面１２０と平行に延伸する（この領域が下流領域１３７ｃである。）。
【００７１】
図１３に示すように、上流領域１３７ａ及び中流領域１３７ｂでは、上下方向の距離（上下壁の間隔）が吸込空間１３５から離れるに従って大きくなっている。下流領域１３７ｃでは、上下方向の距離（上下壁の間隔）が一定になっている。なお、中流領域１３７ｂ及び下流領域１３７ｃにおいて、通風空間１３７の下端（下壁）は、清掃面１２０と平行な方向に延伸している。
【００７２】
吸込空間１３５の通風口１４３は、前側から見ると、図１５に示すように、左右方向に長く、上下方向に短い偏平形状をしている。なお、通風空間１３７の上流口１４５は、図１５では見えないが、通風口１４３と同様に、左右方向に長く、上下方向に短い偏平形状をしている。
【００７３】
通風空間１３７は、上下方向と直交する断面（図１４に相当する。）において、上流領域１３７ａ及び中流領域１３７ｂでは、左右方向の距離（左右壁の間隔）が吸込空間１３５から後方へ離れるに従って小さくなっている。下流領域１３７ｃでは、左右方向の距離（左右壁の間隔）が一定となっている。なお、通風空間１３７の下流部分では、中心軸Ｙ１３と直交する横断面形状は円形状をしている。
【００７４】
（１−２）構成
吸込口体１０５は、上述の吸込路１２６を内部に有するように構成されている。つまり、吸込口体１０５は、吸込路１２６を形成できる構造であればよく、形状等を特に限定するものではない。
【００７５】
また、吸込ヘッド１２１は、上述の吸込空間１３５と通風空間１３７とを内部に有するように構成されている。つまり、吸込ヘッド１２１は、吸込空間１３５と通風空間１３７とを形成できる構造であればよく、形状等を特に限定するものでない。
【００７６】
吸込ヘッド１２１は、ヘッド部１２７と通風部１２９とを備える。ヘッド部１２７は、清掃面１２０と対向する対向（下）面１５１ａに形成され且つ清掃面１２０と平行な方向（左右方向である。）に延伸する吸込口１２２と、吸込口１２２に沿って当該吸込口１２２から凹入する吸込凹み（１３５）と、吸込凹み（１３５）に面する通風口１４３とを有する。通風部１２９は、通風口１４３を介して吸込凹み（１３５）と連通する状態で、ヘッド部１２７に接続されている。
【００７７】
吸込凹み（１３５）により形成される空間が吸込空間１３５であり、以下、吸込凹みも、符号「１３５」とする。また、通風部１２９は筒状をし、その内部の空間が通風空間１３７である。
【００７８】
ヘッド部１２７における中心軸Ｙ１１と直交する断面（図１３参照）において、吸込凹み１３５を形成する内面１２７ａは、清掃面１２０と接する円形状又は類円形状において、その一部を欠く欠円形状又は欠類円形状をしている。なお、ここでいう「一部」とは、円形状又は類円形状の中心Ｐ１１と清掃面１２０との間に存在する吸込口１２２よりも清掃面１２０側である。
【００７９】
通風部１２９は、吸込凹み１３５と接続する部分における中心軸Ｙ１１と直交する断面（垂直縦断面）において、図１７に示すように、吸込口１２２の前後方向の中心Ｐ１３と通風口１４３の上下方向の中心Ｐ１２とを結ぶ仮想線分Ｙ１５に沿って通風口１４３から延伸する筒部分を有している。筒部分の内部領域が、通風空間１３７の上流領域１３７ａである。
第２の実施形態における吸込ヘッド１２１は、上述のように、ヘッド部１２７と通風部１２９とを有する他、ベース部１３１を有し、以下、各部について説明する。
【００８０】
ヘッド部１２７は、図１０から図１３に示すように、下ヘッド１５１と上ヘッド１５３とを有する。ここでは、上ヘッド１５３が下ヘッド１５１上に載置されている。
上ヘッド１５３は、図１０、図１１及び図１３に示すように、下端が開口する半筒体により構成されている。上ヘッド１５３は、図１３に示すように、上下方向に長い長円形状を、一対の直線部分の下端付近で切断したような横断面形状をしている。つまり、上ヘッド１５３の横断面形状は逆「Ｕ」字形状をし、上ヘッド１５３の下部が下ヘッド１５１に装着されている。
【００８１】
上ヘッド１５３の左右方向の両端部分１５３ｂでは、図１１及び図１５に示すように、ヘッド部１２７の平面視・正面視において、端に近づくに従って、外径及び内径が小さくなる（細くなる）半筒形状をしている。なお、半筒形状の上ヘッド１５３の厚みは略一定である。これによりヘッド部１２７の左右方向の両端部分がテーパー部となる。
【００８２】
上ヘッド１５３の左右方向の両端部分１５３ｂは、図１５に示すように端に近づくに従って高さが低くなり、図１４に示すように端に近づくに従って幅（図１０における前後方向の長さである。）も小さくなる。
なお、吸込空間１３５の中心軸Ｙ１１は、図１５に示すように、中心軸Ｙ１１を通り且つ清掃面１２０と直交する断面において、中間部分１５３ａでは清掃面１２０と平行な直線であるが、両端部分１５３ｂでは、端に近づくに従って、清掃面１２０に近づくように傾斜している。なお、中心軸Ｙ１１が清掃面１２０に近づくのは、吸込口１２２と清掃面１２０との距離を一定にするためである。
【００８３】
下ヘッド１５１は、図１０〜図１３に示すように、上ヘッド１５３の前側下端に装着されるフロント下ヘッド１５５と、上ヘッド１５３の後側下端に装着されるリア下ヘッド１５７とからなる。
【００８４】
フロント下ヘッド１５５は、図１７に示すように、上ヘッド１５３の下端部の前側部分が挿入される嵌合溝１５９を有している。リア下ヘッド１５７は、図１７に示すように、上ヘッド１５３の下端部の後側部分が挿入される嵌合溝１６１を有している。
【００８５】
ここでは、フロント下ヘッド１５５及びリア下ヘッド１５７は、例えば、ゴム材料等の弾力性を有する材料により構成されている。これにより、掃除中に、壁等にヘッド部１２７の前側部分が衝突したり、家具等にヘッド部１２７の後側部分が衝突したりしても、上ヘッド１５３の破損を抑制できる。
つまり、フロント下ヘッド１５５は、第１の実施形態のフロントガード６４の機能を有し、リア下ヘッド１５７は、第１の実施形態のリアガード６６の機能を有する。
【００８６】
また、フロント下ヘッド１５５及びリア下ヘッド１５７をゴム材料により構成し、上ヘッド１５３の下端部が嵌合溝１５９や嵌合溝１６１に嵌合する嵌合手段を装着手段として利用することにより、フロント下ヘッド１５５と上ヘッド１５３との間及びリア下ヘッド１５７と上ヘッド１５３との間から空気が漏れるのを抑制できる。
【００８７】
特に、嵌合溝１５９，１６１の大きさを上ヘッド１５３の下端部より小さくすることで、嵌合溝１５９，１６１が溝内の上ヘッド１５３の下端部を押圧するため、上ヘッド１５３と下ヘッド１５１との装着部分から空気が漏れるのを抑制できたり、上ヘッド１５３が外れるのを抑制できたりする。
【００８８】
フロント下ヘッド１５５における嵌合溝１５９より後側の上面１５５ａは、左右方向と直交する横断面において、図１７に示すように吸込口１２２から前方向に離れるに従って清掃面１２０から上方へと離れる円弧形状をしている。つまり、フロント下ヘッド１５５の吸込空間１３５に接する面は、ヘッド部１２７の吸引凹み１３５の凹入形状である欠円形状又は欠類円形状の一部を構成している。
【００８９】
リア下ヘッド１５７における嵌合溝１６１より前側の上面１５７ａは、左右方向と直交する横断面において、図１７に示すように、吸込口１２２から後方向に離れるに従って清掃面１２０から上方へと離れる円弧形状に近い形状をしている。つまり、リア下ヘッド１５７の吸込空間１３５に接する面は、ヘッド部１２７の吸引凹み１３５の凹入形状である欠円形状又は欠類円形状の一部を構成している。
フロント下ヘッド１５５の後端とリア下ヘッド１５７の前端は、図１２に示すように、吸込口１２２の開口縁を構成する。フロント下ヘッド１５５の後端は、左右方向の中央部分がリア下ヘッド１５７から離れるように前方向に凹入している。
【００９０】
フロント下ヘッド１５５の後端における左右方向の端部分は、左右方向の端から左右方向の中央に向かうに従って前方向に直線的に凹入している。なお、フロント下ヘッド１５５の端部分は、段差状に凹入してもよいし、曲線的に凹入してもよい。
リア下ヘッド１５７の前端は、図１２に示すように、左右方向の中央部分がフロント下ヘッド１５５から離れるように後方向に凹入している。リア下ヘッド１５７の前端における左右方向の端部分は、左右方向の端から左右方向の中央に向かうに従って後方向に直線的に凹入している。なお、リア下ヘッド１５７の端部分は、段差状に凹入してもよいし、曲線的に凹入してもよい。
【００９１】
リア下ヘッド１５７は、平面視において板状をし、嵌合溝１６１より後側部分が、図１３に示すように、ベース部１３１を装着するための装着領域となっている。なお、ベース部１３１の装着は、例えば、ねじを利用した螺合、接着剤を利用した接合等で行うことができる。
フロント下ヘッド１５５及びリア下ヘッド１５７には、左右一対のホイール１６３が２組設けられている。このホイール１６３は、吸込口体１０５を滑らかに移動させるためのものである。なお、ホイール１６３は、下ヘッド１５１に一部が入り込む状態、下ヘッド１５１に全く入り込まない状態のいずれで設けられてもよい。
【００９２】
通風部１２９は、図１３〜図１５に示すように、筒体により構成されている。通風部１２９は、その中心軸Ｙ１３が、図１４に示すように、平面視において上ヘッド１５３内の吸込空間１３５の中心軸Ｙ１１と直交する状態で、ヘッド部１２７に接続されている。つまり、通風部１２９がヘッド部１２７に接続された状態を平面視すると、「Ｔ」字形状になる。
【００９３】
通風部１２９の上流口１４５は、吸込空間１３５の通風口１４３と同様に、図１４及び図１５に示すように、上方方向に薄く、左右方向に広い偏平形状をしている。通風部１２９の下流口１６５は、横断面において円形状をしている。つまり、通風部１２９は、上流側から下流側に移るに従って、幅広で厚みの薄い偏平な筒状から円筒に近い筒状に徐々に変化する形状をしている。
【００９４】
通風部１２９の中心軸Ｙ１３は、平面視において前後方向に直線的に延伸し（図１４参照）、側面視（左右方向から見たときである。）において上流端から斜め上後方に延伸した後、清掃面１２０と平行な方向へと延伸する（図１３参照）。
【００９５】
通風部１２９は、図１０に示すように、径方向に張り出す外鍔１６７を中間部分の全周に亘って有している。この外鍔１６７の下端部分は、図１３に示すように、ベース部１３１に装着される。なお、通風部１２９における外鍔１６７より下流側が、ジョイント１２３と連結される連結部分１６９となっている。
【００９６】
ベース部１３１は、図１０及び図１３に示すように、板形状をしている。ベース部１３１の前部分１７１にはリア下ヘッド１５７が固定（装着）され、中央部分１７２には通風部１２９の外鍔１６７が固定される。これにより、ヘッド部１２７と通風部１２９とが外れるのを防止している。
【００９７】
なお、ヘッド部１２７と通風部１２９とを別の手段で固定しても良く、別の手段を用いることで、ベース部が不要となることもある。
ベース部１３１は、図１３に示すように、後述するジョイント１２３が通風部１２９に対して回動するための凹み１７３を中央部分に有している。ベース部１３１の後端部分には、吸込口体１０５の移動をスムーズに行うための左右一対のホイール１７５が設けられている。
【００９８】
（２）ジョイント及び継手体
ジョイント１２３は、吸込ヘッド１２１に対して継手体１２５が時計・反時計回りに回動自在且つ起・倒自在になるように、吸込ヘッド１２１の通風部１２９と継手体１２５とを連結する。
【００９９】
以下、主に図１６を用いて説明を行う。
ジョイント１２３は、本体部１７７、固定部１７９及びカバー部１８１を有する。本体部１７７は、通風部１２９の連結部分１６９に外嵌する外嵌筒部分１８３と、継手体１２５の軸部１９１（１９１ａ，１９１ｂ）を清掃面１２０側から受ける軸受部分１８５とを有する。継手体１２５は、継手本体部１８７と継手カバー部１８９とを有する。
【０１００】
外嵌筒部分１８３と連結部分１６９とは、互いに対応する位置に周方向に形成された溝１８３ａ，１６９ａを有している。外嵌筒部分１８３の溝１８３ａには、周方向に間隔を置いて貫通孔１８３ｂが形成されている。軸受部分１８５は、左右方向に間隔をおいて立設する一対の受け板１９５の上端部分に凹入受け１９３を有する。
【０１０１】
固定部１７９は、所謂、Ｃリングが利用され、内周面であって外嵌筒部分１８３の貫通孔１８３ｂに対応した位置に凸部分１７９ａを有している。連結部分１６９が外嵌筒部分１８３に挿入された状態で、外嵌筒部分１８３の溝１８３ａに固定部１７９が嵌る。固定部１７９の凸部分１７９ａの先端は、本体部１７７の貫通孔１８３ｂを超えて、連結部分１６９の溝１６９ａに係合する。これにより、ジョイント１２３の本体部１７７が、通風部１２９に対して、抜けることなく、回転自在に装着される。
【０１０２】
カバー部１８１は、半筒形状をし、継手体１２５の軸部１９１が軸受部分１８５の凹入受け１９３に嵌合した状態で、上方からこれらを覆うようにして、本体部１７７に装着される。これにより、継手体１２５が、本体部１７７に対して、抜けることなく、起・倒自在に装着される。
【０１０３】
３．使用状態
上述した電気掃除機１の動作中の吸込口体１０５内の気流について説明する。
まず、電気掃除機本体３の電動送風機が駆動されると、吸込口体１０５は、吸込口１２２を介して周辺の空気を吸込む。このとき、通風空間１３７が吸込空間１３５の後方に存在するため、吸込口１２２から当該吸込口１２２の後側を経由して通風部１２９へと吸込まれる。
【０１０４】
吸込みに際して、下ヘッド１５１の下面（ここでは、フロント下ヘッド１５５とリア下ヘッド１５７である。）は、左右方向と直交する横断面において、吸込口１２２が最も清掃面１２０と近づくように、吸込口１２２の前後が傾斜している。これにより、吸込口１２２に進入する空気の流速を増すことができ、結果的に塵埃等の吸込力を向上させることができる。
【０１０５】
以下、吸込ヘッド１２１内の吸込空間１３５の左右方向の中央部分１３５ａと端部分１３５ｂとに分けてそれぞれ説明する。ここでの中央部分１３５ａは、吸込空間１３５における通風口１４３に面する部分である。端部分１３５ｂは、吸込空間１３５において左右方向の中央部分１３５ａの外側に位置する部分である。
【０１０６】
（１）中央部分
中央部分１３５ａにおいて、ヘッド部１２７の下面１５１ａと清掃面１２０との間に存在する空気や塵埃等及びヘッド部１２７の周辺の空気及び塵埃等は吸込口１２２から吸込空間１３５へ吸込まれる。
【０１０７】
中央部分１３５ａでは、吸込口１２２の左右方向の中間部分１２２ａの近くに通風口１４３が存在するため、吸込空間１３５に吸込まれた塵埃等の多くはそのまま通風空間１３７へと吸込まれる。
【０１０８】
（２）端部分
吸込凹み１３５の内面が、横断面において欠類円形状をしている。このため、吸込口１２２の端部分１２２ｂから吸込空間１３５内に吸込まれた空気等は、吸込凹み１３５の内面に沿って旋回しながら、中央にある通風口１４３へと向かう。
【０１０９】
つまり、吸込口１２２の左右方向の端部分１２２ｂは通風口１４３から離れているため、端部分１２２ｂから吸込まれた空気は、通風口１４３に直接（直線的に）吸込まれにくく、吸込凹み１３５の内面に沿って旋回しながら、通風口１４３へと吸込まれる。
これにより、吸込空間１３５の左右方向の端部分１３５ｂでは、図１０の破線Ｙ１６に示すように、中央の通風部１２９に向かう旋回気流（塵埃等）が生じる。
【０１１０】
したがって、端部分１３５ｂでは、ヘッド部１２７の下面と清掃面１２０との間に存在する空気や塵埃等及びヘッド部１２７の端周辺の空気及び塵埃等は、吸込口１２２から吸込空間１３５へ吸込まれ、吸込空間１３５の旋回気流にのって、通風空間１３７へと吸込まれる。
吸込空間１３５の端部分１３５ｂは、端から左右方向の中間部分１３５ｃに向かって拡径する形状をしている。このため、この端部分１３５ｂに吸引された塵埃等は、図１０の破線Ｙ１６で示すように、吸込空間１３５の端部分１３５ｂ（ヘッド部１２７の端部分１５３ｂである。）の内周面に沿って、旋回しながら中央部分１３５ａへと向う。つまり、螺旋形状の旋回気流Ｙ１６が発生しやすくなる。
【０１１１】
一方、ヘッド部１２７の内部の吸込空間１３５の横断面形状（図１３や図１７参照）は、吸込口１２２よりも下の部分も合わせて、全体として類円形状をし、この類円形状に沿った軌道で、旋回気流Ｙ１６は旋回する。このため、ヘッド部１２７の下側では、旋回気流Ｙ１６が吸込口１２２から張り出して、清掃面１２０の近傍を通って、再び吸込口１２２へと戻る。なお、このヘッド部１２７外の気流を空間外気流という。
したがって、絨毯等の掃除では、空間外気流が絨毯の起毛間に入り込むことになる。これにより、起毛間が拡げられ、起毛間に存在していた塵埃等を効率よく吸込むことができる。このように、空間外気流を利用することで、従来の回転ブラシと同様の効果が得られる上、絨毯等の摩耗を抑制できる。
【０１１２】
吸込空間１３５の端部分１３５ｂの横断面形状は、欠円形状又は欠類円形状をしている。吸込空間１３５における端部分１３５ｂの横断面の面積は、端から左右方向の中間部分１３５ｃに向かって変化している。しかしながら、端部分１３５ｂにおいても、吸込空間１３５における横断面の外郭線が清掃面１２０に略接するように、吸込口１２２の大きさが設定されている。このため、吸込空間１３５の端部分１３５ｂでも空気外気流を発生させることができる。
吸込空間１３５の端部分１３５ｂは、左右方向の中央部分１３５ａから端に向かって縮径する形状をしている。このため、端部分１３５ｂで発生する旋回気流の速さは、中間部分１３５ｃよりも速くでき、清掃性能を向上させることができる。
【０１１３】
４．その他
（１）吸込空間の大きさ
発明者の検討によれば、電動送風機が２０Ｗ以下の場合、旋回気流は、吸込空間の直径（図２に示す半径ｒの２倍である。）が１６ｍｍ以上３９ｍｍ以下の範囲で発生することを確認している。ただし、吸込空間の直径が１６ｍｍ未満でも、空間の横断面形状が欠円形状又は欠類円形状であれば、旋回気流は発生すると考えられる。
なお、電動送風機の能力や接続管の内径等を変更したり、通風口１４３の大きさ・位置を変更したりすることで、吸込空間の直径が上記範囲外であっても旋回気流を発生させることができる。
【０１１４】
吸込空間は、上記範囲において、直径が小さい程、塵埃の吸込力が向上する。この観点からは、１６ｍｍよりも小さな直径の吸込空間であってもよい。しかしながら、大きいごみを吸込むことができない可能性がある。
したがって、上記の吸込空間の直径が１６ｍｍ以上３９ｍｍ以下は、効率的に旋回気流を発生させることができ、比較的大きいごみを吸込むことができる範囲といえる。
【０１１５】
特に、直径が２５ｍｍ以上では、大きいごみを吸込めるため、好ましい。なお、直径が１６ｍｍ以上３９ｍｍ以下の範囲は、上述した電動送風機が２０Ｗ以下の場合であり、２０Ｗよりも大きな電動送風機の場合、直径が大きくても吸込力を確保できる。なお、電動送風機の消費電力を２０Ｗ以下としているのは、省エネルギの観点からである。
【０１１６】
旋回気流の速さや吸込力は、電動送風機の能力や接続管の内径が同じ場合は、吸込空間の直径や吸込口の面積に依存している。
発明者の検討によれば、直径が上記の１６ｍｍ以上３９ｍｍ以下の場合、吸込口の左右方向の寸法（長さ）は、吸込空間の左右方向の全長に対して６０％以上１００％以下の範囲内にあればよく、好ましくは８０％以上１００％以下がよい。
直径が上記範囲の場合、吸込口の前後方向の寸法（幅）は、吸込空間の直径に対して、１０％以上１００％以下の範囲内にあればよく、３０％以上７０％以下の範囲がよい。この範囲だと旋回気流を効率的に発生させることができる。
【０１１７】
（２）端部分の大きさ
発明者は、吸込口体１０５のヘッド部１２７における端部をテーパー状にしなくても、ヘッド部１２７内に旋回気流が発生することを確認している。
しかしながら、発明者は、ヘッド部の端部の形状（吸込空間１３５の端部分１３５ｂの形状である。）をテーパー状にすることで塵埃の吸込力が向上することを見出した。
【０１１８】
テーパー部分における左右方向の長さＬ３は、図１５に示すように、通風口１４３における左右方向の端から吸込空間１３５の左右方向の端までの距離（Ｌ２＋Ｌ３）に対して、４０％以上１００％以下の範囲にあればよく、好ましくは５０％以上１００％以下の範囲、さらに好ましく６０％以上９５％以下の範囲にあればよい。
【０１１９】
テーパー部分の左右方向の比率（図１５において、Ｌ３／（Ｌ２＋Ｌ３）である。）が上記範囲あれば、例えば、吸込空間の直径が２５ｍｍ以上になっても高い吸込力が得られる。
テーパー部分の左右方向の長さＬ３は、吸込空間１３５の直径に対して、１倍以上３．５倍以下の範囲がよく、好ましくは１．５倍以上３．５倍以下の範囲、より好ましくは、１．５倍以上３．０倍以下の範囲にあればよい。テーパー部分の吸込空間の直径に対する比率が上記範囲あれば、効率よく、旋回気流を通風口へと誘導できる。
【０１２０】
＜第３の実施形態＞
第３の実施形態に係る吸込ヘッド２０１について、図１８を用いて説明する。
図１８は吸込ヘッドの横断面図である。
吸込ヘッド２０１は、内部に吸込空間２０３と通風空間２０５とを有する。吸込空間２０３と通風空間２０５は通風口２０７を介して接続されている。吸込ヘッド２０１は、上ヘッド２１１と下ヘッド２１３とからなる。なお、吸込空間２０３や通風空間２０５は、上ヘッド２１１と下ヘッド２１３とが組み合わさることで形成される。
【０１２１】
上ヘッド２１１は、吸込空間２０３と通風空間２０５の上半分に対応して凹入する凹入部２１５を有する。下ヘッド２１３は、吸込空間２０３と通風空間２０５の下半分に対応して凹入する凹入部２１７を有する。
ここでは、下ヘッド２１３の前部は、第１の実施形態のフロントガード６４に相当するフロントガード部２１９となっている。下ヘッド２１３の後部は、第１の実施形態のリアガード６６に相当するリアガード部２２１となっている。
【０１２２】
第３の実施形態では、下ヘッド２１３の左右方向の両端壁に貫通孔２２３を有している。これにより、吸込空間２０３には、貫通孔２２３から左右方向に空気が流れ込む（吸込まれる）ため、吸込空間２０３の左右方向の端部分で発生した旋回気流をスムーズに左右方向の中央にある通風口２０７に向かわせることができる。
【０１２３】
＜変形例＞
以上、各実施形態に係る電気掃除機や吸込口体について説明したが、本発明は上記各実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【０１２４】
１．電気掃除機
第１及び第２の実施形態では、電気掃除機１は、床移動型について説明したが、他のタイプであってもよい。他のタイプとしては、例えば、円筒床移動型、ほうき型（スティック型、携帯タイプ）等がある。
ここでいう電気掃除機は、電動送風機を利用したものをいい、商用電源にケーブルを介して接続されるケーブル有タイプでもよいし、充電器（蓄電池）を内蔵する、所謂充電タイプでもよい。
【０１２５】
２．吸込口体
（１）構造
第１の実施形態の吸込口体６０は、円筒体６２、通風路６８、ジョイント７０、第１のパイプ７２及び第２のパイプ７４を有し、これらの内部空間が、塵埃等が通過する吸込路となっている。
第２の実施形態の吸込口体１０５は、吸込ヘッド１２１、ジョイント１２３及び継手体１２５を有し、これらの内部空間が塵埃等の通過用の吸込路１２６となっている。
【０１２６】
しかしながら、吸込口体は、少なくとも欠円形状又は欠類円形状の吸込空間を内部に有する構造であればよく、例えば、円筒体の通風口や吸込ヘッドの下流口に管体（１３）が接続されるような構造であってもよい。この場合、吸込口体の吸込路は、円筒体や吸込ヘッド内にのみ形成される。逆に、他の部材等が組み合わされ、吸込口から吸込まれた塵埃等が他の部材内を通過する場合は、他の部材の内部の通路も吸引路に含まれる。
【０１２７】
（２）吸込空間
（２−１）全体
第１及び第２の実施形態では、吸込空間６３，１３５の延伸する方向の一例として、清掃面と平行な左右方向としている。しかしながら、吸込空間の延伸する方向は、他の方向であってもよく、例えば、前後方向であってもよいし、前後方向と斜めに交差する方向であってもよい。
【０１２８】
（２−２）欠類円形状
第１の実施形態において、吸込空間６３の延伸する方向と直交する横断面における吸込空間６３の欠円形状は、円形状の下部側が切り取られたような形状をしている。第２の実施形態において、吸込空間１３５の延伸する方向と直交する横断面における吸込空間１３５の欠類円形状は、類円形状である長円形状の下部側が切り取られたような形状をしている。
【０１２９】
しかしながら、横断面における吸込空間の欠類円形状の基礎となる類円形状は、長円形状以外の他の形状あってもよい。他の形状としては、楕円形状、６角形状以上の多角形状等がある。
つまり、吸込空間の横断面形状は、吸込口から吸込まれた塵埃等が円筒体の内周面やヘッド部の内周面に沿って旋回気流を生じさせるような形状であればよい。
【０１３０】
したがって、円筒体やヘッド部の形状は、内部に上記の吸込空間を有すればよく、外観形状等は特に限定されるものではない。
吸込空間６３，１３５は柱状をしているが、上述したように、吸込空間は、旋回気流を生じさせることができるような形状であればよく、吸込空間の全体としての形状は柱形状に限定されるものではない。例えば、吸込空間は、横断面形状が欠円形状や欠類円形状の筒形状であってもよい。
【０１３１】
（２−３）端部形状
第２の実施形態では、左右方向の端部分１３５ｂは、中間部分１３５ｃから端に移るに従って細くなる形状をしている。しかしながら、端部分の形状は、端部分で生じた旋回気流が通風空間に吸引するまでに消滅しないように、通風空間に向かって移動できるような形状であればよく、端部分でのテーパー角度等は適宜選択できる。
【０１３２】
つまり、端部分のテーパーは、吸込空間の端部分に発生した旋回気流が通風口へと向かう方向に徐々に大きくなるようになっていればよい。第１の実施形態及び第２の実施形態では、吸込空間が伸びる方向（左右方向である。）の略中央に通風口があり、吸込空間が伸びる方向の端から、通風口のある中央側に向かって（移るに従って）、横断面の面積が大きくなる。
【０１３３】
例えば、吸込空間の伸びる方向の両端に通風口がある場合、テーパー形状は、吸込空間の伸びる方向の中央から各端に向かって徐々に大きくなるように構成すればよい。
第１の実施形態及び第２の実施形態では、ヘッド部の左右方向の両端部分、つまり、連通口の両側の２つの部位でテーパー状となっているが、両側の何れか一方でもよい。ただし、実使用を考慮すると、左右方向の両端部分がテーパー状となっている方が好ましい。
【０１３４】
（２−４）欠損部
第２の実施形態の欠損部１３９は、吸込空間の中心軸に向かって下面から凹入する切欠きにより構成されている。しかしながら、欠損部の機能は、左右方向に向かう気流を外部から吸込空間内に流入させるものであり、換言すると、欠損部は流入部ともいえる。この流入部は、第３の実施形態の貫通孔２２３によっても構成される。なお、欠損部及び貫通孔の形状は特に限定されるものではない。
【０１３５】
（３）通風空間
（３−１）延伸方向
通風空間は、吸込空間と接続する部分における、吸込空間が延伸する方向と直交する断面において、後方に向けて延伸する領域を吸込空間に連接して存在していればよい。したがって、通風空間は、通風空間の全長に亘って一直線状に延伸してもよいし、途中で延伸する方向が直線的に変わってもよいし、曲線的に変わってもよい。また、平面視おける吸込空間から延伸する通風空間の方向は、特に限定するものではない。
【０１３６】
（３−２）接続位置
通風空間は、吸込空間に通風口を介して接続されていればよく、接続位置を特に限定するものではない。
例えば、吸込空間の延伸方向の長さが短い場合には、通風空間は吸込空間の延伸方向の端部分に接続されてもよい。
また、通風空間は、吸込空間の延伸方向の中央部分で接続されてもよい。この場合、吸引空間における通風空間に対して延伸方向の両側で旋回気流を利用することができる。また、中央部分で接続されている場合、通風空間に対する吸込空間の両側で吸込力を略等しくできる。
【０１３７】
（３−３）個数
第１及び第２の実施形態では、例えば１つの通風路６８や通風部１２９が１つの円筒体６２やヘッド部１２７に接続されている（つまり、１つの通風空間が１つの吸込空間に接続されている。）が、例えば、複数本の通風空間が１つの吸込空間に接続するようにしてもよいし、１つの通風空間が複数本の吸込空間に接続するようにしてもよい。
【０１３８】
３．吸込空間
吸込空間は、第１の実施形態では円筒体６２の１つの部材により構成され、第２の実施形態では上ヘッド１５３と下ヘッド１５１（フロント下ヘッド１５５とリア下ヘッド１５７）の３つの部材により構成されている。
吸込空間は、所定方向に延伸し、その横断面形状が欠円形状又は欠類円形状をしていればよく、吸込空間を構成するための部材の部品数や材料、大きさ等は特に限定されるものではない。
【符号の説明】
【０１３９】
１    電気掃除機
１０５    吸込口体
１２２    吸込口
１２７    ヘッド部
１２９    通風部
１３５    吸込空間
１３７    通風空間
１４３    通風口
【図１】
2015198894.tif 000003
【図２】
2015198894.tif 000004
【図３】
2015198894.tif 000005
【図４】
2015198894.tif 000006
【図５】
2015198894.tif 000007
【図６】
2015198894.tif 000008
【図７】
2015198894.tif 000009
【図８】
2015198894.tif 000010
【図９】
2015198894.tif 000011
【図１０】
2015198894.tif 000012
【図１１】
2015198894.tif 000013
【図１２】
2015198894.tif 000014
【図１３】
2015198894.tif 000015
【図１４】
2015198894.tif 000016
【図１５】
2015198894.tif 000017
【図１６】
2015198894.tif 000018
【図１７】
2015198894.tif 000019
【図１８】
2015198894.tif 000020